(57)【要約】      （修正有）【課題】傾けても，振動を与えても，珠が崩れにくい子供用ソロバンを提供する。【解決手段】珠３００の弾性体の左腕部１０４と弾性体の右腕部１０５の上部のカーブが，枠７１を押して，珠３００を崩れにくくする。【選択図】図５
0003194243.tif 000002
【実用新案登録請求の範囲】
【請求項１】
珠（１００）は錨形状で，四角柱形状の柄部（１０２）の上部に柄部（１０２）と垂直に四角柱形状の珠移動表示部（１０３）を有し，柄部（１０２）の下部から柄部（１０２）を対称軸として，珠移動表示部（１０３）方向に左側に弾性体の左腕部（１０４）と右側に弾性体の右腕部（１０５）を有し，左腕部（１０４）と右腕部（１０５）の中間部は柄部（１０２）に平行で，その先は外側にカーブしていて先端部は平面であり，珠（２００）は四角柱形状で，珠（１００）の左腕部（１０４）と右腕部（１０５）と背面部を残して覆うことのできるように背面が開口していて，左腕部（１０４）が通るように左の縦壁に左腕通し窪み（２０１）を有し，右腕部（１０５）が通るように右の縦壁に右腕通し窪み（２０２）を有し，正面上部に四角形状の孔部（２０３）を有し，孔部（２０３）から離れた下部位置に突起した指宛部（２０４）を有し，珠（２００）の背面部を珠（１００）の正面に押し重ねて合体させた珠（３００）をつくり，次に，珠（３００）を配置するために，上部２か所と下部２か所に平板の蓋（５００）を閉じるためのネジ部（５０１）を有する背面部が開口している四角柱形状の箱（４００）の正面に，珠（３００）の珠移動表示部（１０３）と指宛部（２０４）が見えるくらいの大きさのかまぼこ型の孔（１５）を半月部を下にして正面の右側上部に配置して一の位部の五を表示する所とし，かまぼこ型の孔（１５）と同形の孔（１４）を半月部を上にして正面の右側下部に配置して一の位部の四を表示する所とし，かまぼこ型の孔（１５）と同形の孔（１３）を半月部を上にして孔（１４）の上部に配置して一の位部の三を表示する所とし，かまぼこ型の孔（１５）と同形の孔（１２）を半月部を上にして孔（１３）の上部に配置して一の位部の二を表示する所とし，かまぼこ型の孔（１５）と同形の孔（１１）を半月部を上にして孔（１２）の上部に配置して一の位部の一を表示する所とし，孔（１１），孔（１２），孔（１３），孔（１４），孔（１５）は，縦に平行に配置され，孔（１１），孔（１２），孔（１３），孔（１４）の間は等間隔に配置されていて，箱４００の背面部に孔（１１），孔（１２），孔（１３），孔（１４），孔（１５）を囲むように縦長の四角形状の枠（７１）を設け，孔（１１）のかまぼこ型の底辺部の延長線の左下に鷲鼻形状の左窪み（２１）を設け，かまぼこ型の底辺部の延長線の右下に鷲鼻形状の右窪み（２６）を設け，孔（１２）のかまぼこ型の底辺部の延長線の左下に左窪み（２１）と同形状の左窪み（２２）を設け，かまぼこ型の底辺部の延長線の右下に右窪み（２６）と同形状の右窪み（２７）を設け，孔（１３）のかまぼこ型の底辺部の延長線の左下に左窪み（２１）と同形状の左窪み（２３）を設け，かまぼこ型の底辺部の延長線の右下に右窪み（２６）と同形状の右窪み（２８）を設け，孔（１４）のかまぼこ型の底辺部の延長線の左下に左窪み（２１）と同形状の左窪み（２４）を設け，かまぼこ型の底辺部の延長線の右下に右窪み（２６）と同形状の右窪み（２９）を設け，孔（１５）のかまぼこ型の底辺部の延長線の左上に逆鷲鼻形状の左窪み（２５）を設け，かまぼこ型の底辺部の延長線の右上に逆鷲鼻形状の右窪み（３０）を設け，珠（３００）の左腕部（１０４）のカーブしている先部を枠（７１）内の左窪み（２１）の鷲鼻形状部に，右腕部（１０５）のカーブしている先部を枠（７１）内の右窪み（２６）の鷲鼻形状部に納まるように配置し，珠（３００）の左腕部（１０４）のカーブしている先部を枠（７１）内の左窪み（２２）の鷲鼻形状部に，右腕部（１０５）のカーブしている先部を枠（７１）内の右窪み（２７）の鷲鼻形状部に納まるように配置し，珠（３００）の左腕部（１０４）のカーブしている先部を枠（７１）内の左窪み（２３）の鷲鼻形状部に，右腕部（１０５）のカーブしている先部を枠（７１）内の右窪み（２８）の鷲鼻形状部に納まるように配置し，珠（３００）の左腕部（１０４）のカーブしている先部を枠（７１）内の左窪み（２４）の鷲鼻形状部に，右腕部（１０５）のカーブしている先部を枠（７１）内の右窪み（２９）の鷲鼻形状部に納まるように配置し，珠（３００）の左腕部（１０４）のカーブしている先部を枠（７１）内の右窪み（３０）の逆鷲鼻形状部に，右腕部（１０５）のカーブしている先部を枠（７１）内の左窪み（２５）の逆鷲鼻形状部に納まるように配置して，かまぼこ型の孔（１１），孔（１２），孔（１３），孔（１４），孔（１５）と枠（７１）と珠（３００）からなる一の位部をつくり，箱（４００）を背面から見て，その一の位部の右横に一の位部と同一の構成と配置からなる十の位部を設け，十の位部の右横に一の位部と同一の構成と配置からなる百の位部を設け，百の位部の右横に一の位部と同一の構成と配置からなる千の位部を設け，箱（４００）の背面部をすべて覆うことのできる平板の蓋（５００）をネジ部（５０１）で固定させた，傾けても，振動を与えても，珠が崩れにくい子供用ソロバン（６００）。
【考案の詳細な説明】
【技術分野】
【０００１】  この考案は、傾けても，振動を与えても，珠が崩れにくい子供用ソロバンに関するものである。
【背景技術】
【０００２】
【先行技術文献】
【０００３】
【考案の概要】
【考案が解決しようとする課題】
【００１０】  日本式ソロバン（６）は，一珠（１）と五珠（２）に芯（３）を通しただけなので，計算中に，ソロバン（６）を傾けたり，ソロバン（６）に振動を与えたりしてしまうと，一珠（１）や五珠（２）が動いて崩れてしまい，再び計算しなければならなかった。子供にとって，計算中に，珠が崩れてしまうことが，利用するのに，障害になっていた。［図１］参照
【課題を解決するための手段】
【００１１】  このため，珠の動くスピードよりも，正確に，足したり引いたりすることを優先した，芯（３）を使わない，子供用ソロバン（６００）を開発した。［図１５］参照【００１２】  まず，珠（１００）をつくる。［図６］［図７］参照【００１３】  珠（１００）は錨形状で，四角柱形状の柄部（１０２）の上部に，柄部（１０２）と垂直に四角柱形状の珠移動表示部（１０３）を設ける。【００１４】  柄部（１０２）の下部から，柄部（１０２）を対称軸として，左側に弾性体の左腕部（１０４）を，右側に弾性体の右腕部（１０５）を，珠移動表示部（１０３）方向に設ける。【００１５】  左腕部（１０４）と右腕部（１０５）の中間部は，柄部（１０２）に平行で，その先は，外側にカーブしていて，先端部は平面になっている。【００２１】  次に，珠（２００）をつくる。［図８］［図９］参照【００２２】  珠（２００）は四角柱形状で，珠（１００）の左腕部（１０４）と右腕部（１０５）と背面部を残して覆うことのできるように背面が開口していて，左腕部（１０４）が通るように左の縦壁に左腕通し窪み（２０１）を設け，右腕部（１０５）が通るように右の縦壁に右腕通し窪み（２０２）を設ける。【００２３】  正面上部に四角形状の孔部（２０３）を設ける。【００２４】  孔部（２０３）から離れた下部位置に突起した指宛部（２０４）を設ける。【００３１】  次に，珠（３００）をつくる。［図１０］参照【００３２】  珠（２００）の背面部を，珠（１００）の正面に押し重ねて合体させた珠（３００）をつくる。【００４１】  次に，珠（３００）を配置するために，上部２か所と下部２か所，平板の蓋（５００）を閉じるためのネジ部（５０１）を設けた，背面部が開口している四角柱形状の箱（４００）をつくる。［図１１］参照【００４２】  箱（４００）の正面は，珠（３００）の珠移動表示部（１０３）と指宛部（２０４）が見えるくらいの大きさのかまぼこ型の孔（１５）を，半月部を下にして，正面の右側上部に配置して，一の位部の五を表示する所とする。【００４３】  かまぼこ型の孔（１５）と同形の孔（１４）を，半月部を上にして，正面の右側下部に配置して，一の位部の四を表示する所とする。
かまぼこ型の孔（１５）と同形の孔（１３）を，半月部を上にして，孔（１４）の上部に配置して，一の位部の三を表示する所とする。
かまぼこ型の孔（１５）と同形の孔（１２）を，半月部を上にして，孔（１３）の上部に配置して，一の位部の二を表示する所とする。
かまぼこ型の孔（１５）と同形の孔（１１）を，半月部を上にして，孔（１２）の上部に配置して，一の位部の一を表示する所とする。【００４４】  孔（１１），孔（１２），孔（１３），孔（１４），孔（１５）は，縦に平行に配置され，孔（１１），孔（１２），孔（１３），孔（１４）の間は等間隔に配置されている。【００４５】  箱４００の背面部に，孔（１１），孔（１２），孔（１３），孔（１４），孔（１５）を囲むように，縦長の四角形状の枠（７１）を設ける。［図１２］参照【００４６】  孔（１１）のかまぼこ型の底辺部の延長線の左下に，鷲鼻形状の左窪み（２１）を設け，かまぼこ型の底辺部の延長線の右下に，鷲鼻形状の右窪み（２６）を設ける。
孔（１２）のかまぼこ型の底辺部の延長線の左下に，左窪み（２１）と同形状の左窪み（２２）を設け，かまぼこ型の底辺部の延長線の右下に，右窪み（２６）と同形状の右窪み（２７）を設ける。
孔（１３）のかまぼこ型の底辺部の延長線の左下に，左窪み（２１）と同形状の左窪み（２３）を設け，かまぼこ型の底辺部の延長線の右下に，右窪み（２６）と同形状の右窪み（２８）を設ける。
孔（１４）のかまぼこ型の底辺部の延長線の左下に，左窪み（２１）と同形状の左窪み（２４）を設け，かまぼこ型の底辺部の延長線の右下に，右窪み（２６）と同形状の右窪み（２９）を設ける。【００４７】  孔（１５）のかまぼこ型の底辺部の延長線の左上に，逆鷲鼻形状の左窪み（２５）を設け，かまぼこ型の底辺部の延長線の右上に，逆鷲鼻形状の右窪み（３０）を設ける。【００５１】  次に，珠（３００）を枠（７１）内に配置する。［図１３］参照【００５２】  珠（３００）の左腕部（１０４）のカーブしている先部を枠（７１）内の左窪み（２１）の鷲鼻形状部に，右腕部（１０５）のカーブしている先部を枠（７１）内の右窪み（２６）の鷲鼻形状部に納まるように置く。
珠（３００）の左腕部（１０４）のカーブしている先部を枠（７１）内の左窪み（２２）の鷲鼻形状部に，右腕部（１０５）のカーブしている先部を枠（７１）内の右窪み（２７）の鷲鼻形状部に納まるように置く。
珠（３００）の左腕部（１０４）のカーブしている先部を枠（７１）内の左窪み（２３）の鷲鼻形状部に，右腕部（１０５）のカーブしている先部を枠（７１）内の右窪み（２８）の鷲鼻形状部に納まるように置く。
珠（３００）の左腕部（１０４）のカーブしている先部を枠（７１）内の左窪み（２４）の鷲鼻形状部に，右腕部（１０５）のカーブしている先部を枠（７１）内の右窪み（２９）の鷲鼻形状部に納まるように置く。【００５３】  珠（３００）の左腕部（１０４）のカーブしている先部を枠（７１）内の右窪み（３０）の逆鷲鼻形状部に，右腕部（１０５）のカーブしている先部を枠（７１）内の左窪み（２５）の逆鷲鼻形状部に納まるように置く。【００５４】  以上のようにして，かまぼこ型の孔（１１），孔（１２），孔（１３），孔（１４），孔（１５）と枠（７１）と珠（３００）からなる一の位部が出来上がる。【００６１】  次に，千の位部までのソロバンをつくる。【００６２】  図示しないが，箱（４００）を背面から見て，孔（１１），孔（１２），孔（１３），孔（１４），孔（１５）と枠（７１）と珠（３００）からなる一の位部の右横に，一の位部と同一の構成と配置からなる十の位部を設け，十の位部の右横に，一の位部と同一の構成と配置からなる百の位部を設け，百の位部の右横に，一の位部と同一の構成と配置からなる千の位部を設ける。【００７１】  次に，平板の蓋（５００）をつくる。［図１４］参照【００７２】  箱（４００）の背面部をすべて覆うことのできる平板の蓋（５００）をつくり，ネジ部（５０１）で固定させる。これによって，珠（３００）は，枠（７１）と箱（４００）内に納まり，傾けても振動を与えても，珠が崩れにくい子供用ソロバン（６００）が出来上がる。
【考案の効果】
【０１０１】  本考案は次のような効果を生む。
計算中に本考案を傾けても，本考案に振動を与えても，珠（３００）が崩れにくく，安心して計算できる。
【図面の簡単な説明】
【０１１１】
【図１】は、日本式ソロバンの正面図の一部である。
【図２】は，本考案の使用例を示した拡大図である。
【図３】は、本考案の使用例を示した拡大図である。
【図４】は，本考案の使用例を示した拡大図である。
【図５】は、本考案の使用例を示した拡大図である。
【図６】は、本考案の珠（１００）の正面図である。
【図７】は、本考案の珠（１００）の背面図である。
【図８】は、本考案の珠（２００）の正面図である。
【図９】は、本考案の珠（２００）の背面図である。
【図１０】は、本考案の珠（３００）の斜視図である。
【図１１】は、本考案の箱（４００）の正面図である。
【図１２】は、本考案の箱（４００）の背面図である。
【図１３】は、本考案の珠（３００）を箱（４００）の一部に配置した背面図である。
【図１４】は、本考案の蓋（５００）の正面図である。
【図１５】は、本考案の子供用ソロバン（６００）の斜視図である。
【考案を実施するための形態】
【０２１１】  以下、本考案を実施するための形態を説明する。
【０２１２】  まず，珠（１００）をつくる。［図６］［図７］参照
【０２１３】珠（１００）は錨形状で，四角柱形状の柄部（１０２）の上部に，柄部（１０２）と垂直に四角柱形状の珠移動表示部（１０３）を設ける。珠移動表示部（１０３）は，赤いシールなどを貼り付ける場所で，計算する前は，かまぼこ型の枠（１１・１２・１３・・・・）で隠れていて見えなくなっているが，計算中は，珠（３００）を数字として置いたことが，見てすぐわかるようにするためである。［図４］参照
【０２１４】  柄部（１０２）の下部から，柄部（１０２）を対称軸として，左側に弾性体の左腕部（１０４）を，右側に弾性体の右腕部（１０５）を，珠移動表示部（１０３）方向に設ける。左腕部（１０４）と右腕部（１０５）を弾性体にするのは，珠（３００）を移動させたとき，左腕部（１０４）と右腕部（１０５）の上部が，枠（７１）を押している状態にして，本考案のソロバンを傾けても，珠（３００）を崩れにくくするためである。
【０２１５】  左腕部（１０４）と右腕部（１０５）の中間部は，柄部（１０２）に平行で，その先は，外側にカーブしていて，先端部は平面になっている。左腕部（１０４）と右腕部（１０５）の中間部から先を外側にカーブさせるのは，親指と人差し指などで指宛部（２０４）を上下させたとき，珠（３００）がスムーズに動くようにするためである。
【０２１６】  左腕部（１０４）と右腕部（１０５）の先端部を平面にするのは，親指と人差し指などで指宛部（２０４）を上下させたとき，左腕部（１０４）と右腕部（１０５）が，左窪み（２５）や右窪み（３０）などの窪みの鷲鼻形状部の直角部で停まるようにするためである。
【０２２１】  次に，珠（２００）をつくる。［図８］［図９］参照
【０２２２】  珠（２００）は四角柱形状で，珠（１００）の左腕部（１０４）と右腕部（１０５）と背面部を残して覆うことのできるように背面が開口していて，左腕部（１０４）が通るように左の縦壁に左腕通し窪み（２０１）を設け，右腕部（１０５）が通るように右の縦壁に右腕通し窪み（２０２）を設ける。
【０２２３】  正面上部に四角形状の孔部（２０３）を設ける。これは，珠（１００）珠移動表示部（１０３）が見えるようにするためである。
【０２２４】  孔部（２０３）から離れた下部位置に突起した指宛部（２０４）を設ける。指宛部（２０４）の形状は，親指と人差し指が操作しやすい形状であればよい。例えば，円錐台を半分にした形状，球欠を半分にした形状，平板状，円盤を半分にした形状などがある。
【０２３１】  次に，珠（３００）をつくる。［図１０］参照
【０２３２】  珠（２００）の背面部を，珠（１００）の正面に押し重ねて合体させた珠（３００）をつくる。珠（１００）と珠（２００）を合体させないで，一体化した珠にしてもよい。
【０２４１】  次に，珠（３００）を配置するために，上部２か所と下部２か所，平板の蓋（５００）を閉じるためのネジ部（５０１）を設けた，背面部が開口している四角柱形状の箱（４００）をつくる。［図１１］参照
蓋（５００）を閉じるために，ネジ部（５０１）にしたのは，珠（３００）が壊れた場合，交換しやすくするためである。
【０２４２】  箱（４００）の正面は，珠（３００）の珠移動表示部（１０３）と指宛部（２０４）が見えるくらいの大きさのかまぼこ型の孔（１５）を，半月部を下にして，正面の右側上部に配置して，一の位部の五を表示する所とする。
【０２４３】  かまぼこ型の孔（１５）と同形の孔（１４）を，半月部を上にして，正面の右側下部に配置して，一の位部の四を表示する所とする。
かまぼこ型の孔（１５）と同形の孔（１３）を，半月部を上にして，孔（１４）の上部に配置して，一の位部の三を表示する所とする。
かまぼこ型の孔（１５）と同形の孔（１２）を，半月部を上にして，孔（１３）の上部に配置して，一の位部の二を表示する所とする。
かまぼこ型の孔（１５）と同形の孔（１１）を，半月部を上にして，孔（１２）の上部に配置して，一の位部の一を表示する所とする。
【０２４４】  孔（１１），孔（１２），孔（１３），孔（１４），孔（１５）は，縦に平行に配置され，孔（１１），孔（１２），孔（１３），孔（１４）の間は等間隔に配置されている。
【０２４５】  箱４００の背面部に，孔（１１），孔（１２），孔（１３），孔（１４），孔（１５）を囲むように，縦長の四角形状の枠（７１）を設ける。［図１２］参照
【０２４６】  孔（１１）のかまぼこ型の底辺部の延長線の左下に，鷲鼻形状の左窪み（２１）を設け，かまぼこ型の底辺部の延長線の右下に，鷲鼻形状の右窪み（２６）を設ける。
孔（１２）のかまぼこ型の底辺部の延長線の左下に，左窪み（２１）と同形状の左窪み（２２）を設け，かまぼこ型の底辺部の延長線の右下に，右窪み（２６）と同形状の右窪み（２７）を設ける。
孔（１３）のかまぼこ型の底辺部の延長線の左下に，左窪み（２１）と同形状の左窪み（２３）を設け，かまぼこ型の底辺部の延長線の右下に，右窪み（２６）と同形状の右窪み（２８）を設ける。
孔（１４）のかまぼこ型の底辺部の延長線の左下に，左窪み（２１）と同形状の左窪み（２４）を設け，かまぼこ型の底辺部の延長線の右下に，右窪み（２６）と同形状の右窪み（２９）を設ける。
【０２４７】  孔（１５）のかまぼこ型の底辺部の延長線の左上に，逆鷲鼻形状の左窪み（２５）を設け，かまぼこ型の底辺部の延長線の右上に，逆鷲鼻形状の右窪み（３０）を設ける。
【０２５１】  次に，珠（３００）を枠（７１）内に配置する。［図１３］参照
【０２５２】  珠（３００）の左腕部（１０４）のカーブしている先部を枠（７１）内の左窪み（２１）の鷲鼻形状部に，右腕部（１０５）のカーブしている先部を枠（７１）内の右窪み（２６）の鷲鼻形状部に納まるように置く。
珠（３００）の左腕部（１０４）のカーブしている先部を枠（７１）内の左窪み（２２）の鷲鼻形状部に，右腕部（１０５）のカーブしている先部を枠（７１）内の右窪み（２７）の鷲鼻形状部に納まるように置く。
珠（３００）の左腕部（１０４）のカーブしている先部を枠（７１）内の左窪み（２３）の鷲鼻形状部に，右腕部（１０５）のカーブしている先部を枠（７１）内の右窪み（２８）の鷲鼻形状部に納まるように置く。
珠（３００）の左腕部（１０４）のカーブしている先部を枠（７１）内の左窪み（２４）の鷲鼻形状部に，右腕部（１０５）のカーブしている先部を枠（７１）内の右窪み（２９）の鷲鼻形状部に納まるように置く。
【０２５３】  珠（３００）の左腕部（１０４）のカーブしている先部を枠（７１）内の右窪み（３０）の逆鷲鼻形状部に，右腕部（１０５）のカーブしている先部を枠（７１）内の左窪み（２５）の逆鷲鼻形状部に納まるように置く。
【０２５４】  以上のようにして，かまぼこ型の孔（１１），孔（１２），孔（１３），孔（１４），孔（１５）と枠（７１）と珠（３００）からなる一の位部が出来上がる。
【０２６１】  次に，千の位部までのソロバンをつくる。
【０２６２】  図示しないが，箱（４００）を背面から見て，孔（１１），孔（１２），孔（１３），孔（１４），孔（１５）と枠（７１）と珠（３００）からなる一の位部の右横に一の位部と同一の構成と配置からなる十の位部を設け，十の位部の右横に一の位部と同一の構成と配置からなる百の位部を設け，百の位部の右横に一の位部と同一の構成と配置からなる千の位部を設ける。
【０２７１】  次に，平板の蓋（５００）をつくる。［図１４］参照
【０２７２】  箱（４００）の背面部をすべて覆うことのできる平板の蓋（５００）をつくり，ネジ部（５０１）で固定させる。これによって，珠（３００）は，枠（７１）と箱（４００）内に納まり，計算が安定してできる。
【０２８１】  以上のようにした，傾けても，振動を与えても，珠が崩れにくい子供用ソロバン（６００）ができあがる。
【使用例】
【０３０１】  本考案の使用方法は，基本的には，日本式ソロバン（６）と同じである。
本考案の使用例を［図２］と［図３］と［図４］と［図５］で説明する。
［図２］は，一の位部の五を表示する所の珠（３００）を，箱（４００）の正面の，かまぼこ型の孔（１５）をとおして見た図であり，計算中では，０を表示している。
【０３０２】  ［図３］は，［図２］の珠（３００）を箱（４００）の背面から見た図である。
珠（３００）の左腕部（１０４）のカーブしている先部を枠（７１）内の右窪み（３０）の逆鷲鼻形状部に，右腕部（１０５）のカーブしている先部を枠（７１）内の左窪み（２５）の逆鷲鼻形状部に納まるように置いた状態で，計算中では，０を表示している。
【０３０３】  この状態で本考案を傾けても，左腕部（１０４）と右腕部（１０５）の上部が，枠（７１）の内側の左右の窪み（２５）と窪み（３０）に納まっているので，動きにくくなっている。
【３０４】  ［図４］は，一の位部の五を表示する所の珠（３００）を，箱（４００）の正面の，かまぼこ型の孔（１５）をとおして見た図であり，計算中では，５を表示している。
【０３０５】  ［図５］は，［図４］の珠（３００）を箱（４００）の背面から見た図である。
［図４］は，［図２］［図３］の珠（３００）を，珠（２００）の指宛部（２０４）を人差し指などで下げた状態で，計算中では，５を表示している。この状態で本考案を傾けても，左腕部（１０４）と右腕部（１０５）の上部が，枠（７１）を押している状態なので，崩れにくくなっている。
【０３０６】  ［図４］［図５］の珠（３００）を押し上げて［図２］［図３］のようにしても，左腕部（１０４）と右腕部（１０５）の先端部が平面になっているので，左腕部（１０４）と右腕部（１０５）が，左窪み（２５）と右窪み（３０）の窪みの鷲鼻形状部の直角部で停まるので，珠（３００）全体も停まる。
【符号の説明】
【０５００】１一珠    ２五珠    ３芯    ４梁    ５枠
１１，１２，１３，１４，１５かまぼこ型の孔
２１，２２，２３，２４，２５左窪み
２６，２７，２８，２９，３０右窪み
７１枠
１００珠    １０２柄部    １０３珠移動表示部    １０４左腕部    １０５右腕部
２００珠    ２０１左腕通し窪み    ２０２右腕通し窪み
２０３四角形状の孔部（２０３）      ２０４指宛部
３００珠（１００）と珠（２００）の合体した珠
４００箱    ５００蓋    ５０１ネジ部    ６００子供用ソロバン
【図１】
0003194243.tif 000003
【図２】
0003194243.tif 000004
【図３】
0003194243.tif 000005
【図４】
0003194243.tif 000006
【図５】
0003194243.tif 000007
【図６】
0003194243.tif 000008
【図７】
0003194243.tif 000009
【図８】
0003194243.tif 000010
【図９】
0003194243.tif 000011
【図１０】
0003194243.tif 000012
【図１１】
0003194243.tif 000013
【図１２】
0003194243.tif 000014
【図１３】
0003194243.tif 000015
【図１４】
0003194243.tif 000016
【図１５】
0003194243.tif 000017